(57)【特許請求の範囲】
【請求項１】
ブレードに設けられた揺動式のイジェクタレバーの操作に連動させて電源制御部を作動させることでシェルフからブレードへの電力供給をオン・オフ制御するようにしたブレード用電源操作装置であって、
前記ブレードを前記シェルフに取り付けた状態で前記ブレードの内部に突入する舌片を前記イジェクタレバーと一体に設け、前記ブレードの内部には、前記舌片の突入を該舌片の側方から検知する光センサを設けると共に、
前記電源制御部には、前記シェルフからブレードへの電力供給をオン・オフ制御するためのマイクロプロセッサと、前記シェルフからブレードへの電力供給のオン・オフ状態を記憶するメモリとを配備し、
前記光センサからの舌片検知信号が検出されているか否かを前記マイクロプロセッサによって判定し、舌片検知信号が検出されている場合には、前記マイクロプロセッサが、前記メモリに電力供給のオフ状態が記憶されているか否かを判定し、電力供給のオフ状態が記憶されている場合に限って前記シェルフからブレードへの電力供給を開始して前記メモリに電力供給がオン状態となったことを記憶する一方、前記光センサからの舌片検知信号が検出されていない場合には、前記マイクロプロセッサが、前記メモリに電力供給のオフ状態が記憶されているか否かを判定し、電力供給のオフ状態が記憶されていない場合に限って前記シェルフからブレードへの電力供給を停止して前記メモリに電力供給がオフ状態となったことを記憶するようにしたことを特徴とするブレード用電源操作装置。
【請求項２】
前記光センサが、前記ブレードの内部に突入した舌片を表裏から挟むようにして設けられた透過型の光センサによって構成されていることを特徴とする請求項１記載のブレード用電源操作装置。
【請求項３】
前記光センサが、前記ブレードの内部に突入した舌片の一側に対向して設けられた反射型の光センサによって構成されていることを特徴とする請求項１記載のブレード用電源操作装置。
【請求項４】
前記舌片の長さが、前記シェルフに対する前記ブレードの取り付けが完了するイジェクタレバーの揺動位置よりも手前のイジェクタレバーの揺動位置で前記光センサを作動させるように調整されていることを特徴とする請求項１，請求項２または請求項３のうち何れか一項に記載のブレード用電源操作装置。
【請求項５】
前記イジェクタレバーと前記光センサの組が前記ブレードの２箇所以上の位置に配備され、
前記マイクロプロセッサは、何れかの前記光センサからの舌片検知信号が検出されている場合には、前記メモリに電力供給のオフ状態が記憶されているか否かを判定し、電力供給のオフ状態が記憶されている場合に限って前記シェルフからブレードへの電力供給を開始して前記メモリに電力供給がオン状態となったことを記憶する一方、何れの前記光センサからの舌片検知信号も検出されていない場合には、前記メモリに電力供給のオフ状態が記憶されているか否かを判定し、電力供給のオフ状態が記憶されていない場合に限って前記シェルフからブレードへの電力供給を停止して前記メモリに電力供給がオフ状態となったことを記憶するように構成されていることを特徴とする請求項１，請求項２，請求項３または請求項４のうち何れか一項に記載のブレード用電源操作装置。
【請求項６】
ブレードをシェルフに取り付けた状態でブレードの内部に突入する舌片を一体に設けた揺動式のイジェクタレバーと、前記ブレードの内部に設けられて前記舌片の突入を該舌片の側方から検知する光センサとを備え、前記光センサからの舌片検知信号によって電源制御部を作動させてシェルフからブレードへの電力供給をオン・オフ制御するようにしたブレード用電源操作装置のための電源操作プログラムであって、
前記電源制御部に配備されたマイクロプロセッサを、
前記光センサからの舌片検知信号の入力の有無を検知するための手段、
前記マイクロプロセッサのメモリに電力供給のオフ状態が記憶されているか否かを判定するための手段、
前記舌片検知信号の入力の有無を検知するための手段により舌片検知信号が検出され且つ前記メモリに電力供給のオフ状態が記憶されている場合に限って前記シェルフからブレードへの電力供給を開始して前記メモリに電力供給がオン状態となったことを記憶させる手段、および、
前記舌片検知信号の入力の有無を検知するための手段により舌片検知信号が検出されておらず且つ前記メモリに電力供給のオフ状態が記憶されていない場合に限って前記シェルフからブレードへの電力供給を停止して前記メモリに電力供給がオフ状態となったことを記憶させる手段として機能させることを特徴とした電源操作プログラム。
【請求項７】
前記シェルフからブレードへの電力供給を開始して前記メモリに電力供給がオン状態となったことを記憶させる手段は、
前記ブレードの２箇所以上の位置に配備されたイジェクタレバーの各々に対応して設けられた何れかの光センサからの舌片検知信号が検出され且つ前記メモリに電力供給のオフ状態が記憶されている場合に限って前記シェルフからブレードへの電力供給を開始して前記メモリに電力供給がオン状態となったことを記憶させ、
前記シェルフからブレードへの電力供給を停止して前記メモリに電力供給がオフ状態となったことを記憶させる手段は、
前記ブレードの２箇所以上の位置に配備されたイジェクタレバーの各々に対応して設けられた何れの光センサからの舌片検知信号も検出されておらず且つ前記メモリに電力供給のオフ状態が記憶されていない場合に限って前記シェルフからブレードへの電力供給を停止して前記メモリに電力供給がオフ状態となったことを記憶させるように構成したことを特徴とする請求項６記載の電源操作プログラム。
【請求項８】
ブレードをシェルフに取り付けた状態でブレードの内部に突入する舌片を一体に設けた揺動式のイジェクタレバーと、前記ブレードの内部に設けられて前記舌片の突入を該舌片の側方から検知する光センサとを備え、前記光センサからの舌片検知信号によって電源制御部を作動させてシェルフからブレードへの電力供給をオン・オフ制御するようにしたブレード用電源操作装置のための電源操作方法であって、
ブレード用電源操作装置が、前記光センサからの舌片検知信号が検出されているか否かを判定し、舌片検知信号が検出されている場合には、ブレード用電源操作装置が、該ブレード用電源操作装置のメモリに電力供給のオフ状態が記憶されているか否かを判定し、電力供給のオフ状態が記憶されている場合に限って前記シェルフからブレードへの電力供給を開始して前記メモリに電力供給がオン状態となったことを記憶させる一方、前記光センサからの舌片検知信号が検出されていない場合には、前記ブレード用電源操作装置が、前記メモリに電力供給のオフ状態が記憶されているか否かを判定し、電力供給のオフ状態が記憶されていない場合に限って前記シェルフからブレードへの電力供給を停止して前記メモリに電力供給がオフ状態となったことを記憶させることを特徴とする電源操作方法。
【請求項９】
前記ブレード用電源操作装置は、前記ブレードの２箇所以上の位置に配備されたイジェクタレバーの各々に対応して設けられた何れかの光センサからの舌片検知信号が検出され且つ前記メモリに電力供給のオフ状態が記憶されている場合に限って前記シェルフからブレードへの電力供給を開始して前記メモリに電力供給がオン状態となったことを記憶させる一方、前記ブレードの２箇所以上の位置に配備されたイジェクタレバーの各々に対応して設けられた何れの光センサからの舌片検知信号も検出されておらず且つ前記メモリに電力供給のオフ状態が記憶されていない場合に限って前記シェルフからブレードへの電力供給を停止して前記メモリに電力供給がオフ状態となったことを記憶させることを特徴とした請求項８記載の電源操作方法。
【発明の詳細な説明】
【技術分野】
【０００１】
本発明は、ＡＴＣＡ（Advanced Telecom Computing Architecture）のテレコムサーバ等で利用されるブレード用電源操作装置と其の電源操作プログラムおよび電源操作方法の改良に関する。
【背景技術】
【０００２】
通信事業者向けコンピュータのハードウェア規格であるＡＴＣＡに関しては既に公知である。ＡＴＣＡの規格では、通信サービスの提供に際して求められる信頼性や可用性を満たす必要上、シェルフ（外枠）やブレード（カード）のサイズのほか、シェルフに電源を入れたままブレードの抜き差しを行なうためのホットスワップ機能が求められている。
【０００３】
ホットスワップ機能を実現するための手段としては、特許文献１に開示されるように、サブ基板をメイン基板に着脱する際に利用されるサブ基板側のイジェクタレバーの動作に連動させてメイン基板からサブ基板への電力供給をオン・オフ制御するようにしたプラグイン取付構造が既に公知である。
【０００４】
特許文献１に開示されるプラグイン取付構造は、ブレードに相当するサブ基板に設けられた揺動式のイジェクタレバーに設けた切欠部をサブ基板上のトグルスイッチの先端に嵌合させ、イジェクタレバーの揺動操作でトグルスイッチのスティックを揺動させてシェルフに相当するメイン基板からサブ基板への電力供給をオン・オフ制御する構成を適用しているが、切欠部の形状や寸法を始めとするイジェクタレバーの加工精度やイジェクタレバーの取り付けに関わる位置精度が十分でないとイジェクタレバーに連動させて適切にトグルスイッチを作動させることができず、加工精度や取付精度を保証する必要上、加工作業や組立作業が煩雑化する不都合があった。
【０００５】
しかも、トグルスイッチのスティックとイジェクタレバーの切欠部との間の遊びが大きいため、イジェクタレバーを限界位置まで確実に揺動させないとトグルスイッチが作動せず、メイン基板にサブ基板が差し込まれた状態であっても、イジェクタレバーの操作か不十分であるとメイン基板からサブ基板に適切に電力が供給されない可能性があった。
【０００６】
特に、トグルスイッチは、その構造上、中立位置を越えてスティックを反対側に倒すことで支点超えバネのような付勢力を得てスイッチの切り替え状態を保持するようになっているため、オン・オフ操作に必要とされるストロークが大きく、イジェクタレバーの切欠部が磨耗したり変形したりすると、スイッチの切り替えが不安定となる不都合がある。
【０００７】
また、ＡＴＣＡ規格のブレードにおいては、図６に示されるように、ブレード１０１に固設されたリアパネル１０２の両端部にヒンジ１０４を介して揺動式のイジェクタレバー１０３を配置し、ブレード１０１をシェルフに取り付けた状態でブレード１０１の内部に突入する舌片１０５をイジェクタレバー１０３と一体に設けると共に、ブレード１０１の内部に舌片１０３の先端で押されるプッシュスイッチ１０６を配備し、イジェクタレバー１０３の揺動操作に応動させてプッシュスイッチ１０６の切り替えを行うことによって図示しないシェルフからブレード１０１への電力供給をオン・オフ制御するようにしたブレード用電源操作装置が知られている。
【０００８】
この場合もイジェクタレバー１０３自体の機能に関しては特許文献１に開示されるプラグイン取付構造のイジェクタレバーと同様である。つまり、ブレード１０１を図示しないシェルフに取り付けて完全に差し込んだ状態では、図６に示されるように、イジェクタレバー１０３と一体の押圧片１０７がシェルフ側の枠部２０１に当接し、イジェクタレバー１０３がブレード１０１のリアパネル１０２に密着している。
そして、ブレード１０１をシェルフから取り外す際には、図６中で上側に位置するイジェクタレバー１０３を時計方向に揺動させると共に図６中で下側に位置するイジェクタレバー１０３を反時計方向に揺動させ、イジェクタレバー１０３を梃子の力点、また、ヒンジ１０４を梃子の支点、更に、押圧片１０７を梃子の作用点として機能させることにより、押圧片１０７でシェルフ側の枠部２０１を押すようにしてブレード１０１を図６中の左方向に移動させて、図示しないシェルフからブレード１０１を取り外す。
また、ブレード１０１をシェルフに取り付ける際には、図６中の左側から右側に向けてブレード１０１を移動させることになるが、この際、押圧片１０７がシェルフ側の枠部２０１に当接するので、前記とは逆に、図６中で上側に位置するイジェクタレバー１０３が自動的に反時計方向に揺動し、また、図６中で下側に位置するイジェクタレバー１０３は自動的に時計方向に揺動して、図６に示されるような状態に戻る。
【０００９】
イジェクタレバー１０３の舌片１０５は、ブレード１０１が図示しないシェルフに完全に差し込まれた状態、つまり、少なくとも図６中で下側に位置するイジェクタレバー１０３が図６のようにしてブレード１０１のリアパネル１０２に密着し、舌片１０５がブレード１０１の内部に突入した状態で、プッシュスイッチ１０６を作動させて図示しないシェルフからブレード１０１に電力を供給させ、また、ブレード１０１の取り外しに際して図６中で下側に位置するイジェクタレバー１０３を反時計方向に揺動させた状態、要するに、図６中で下側に位置するイジェクタレバー１０３の舌片１０５がプッシュスイッチ１０６から左側に離脱した状態で、図示しないシェルフからブレード１０１への電力の供給を停止させるようになっているが、前述した特許文献１におけるプラグイン取付構造の場合と同様、舌片１０５の突出寸法を始めとするイジェクタレバー１０３の加工精度やイジェクタレバー１０３の取り付けに関わる位置精度が十分でないとイジェクタレバー１０３に連動させて適切にプッシュスイッチ１０６を作動させることができず、加工精度や取付精度を保証する必要上、加工作業や組立作業が煩雑化する不都合がある。
【００１０】
特に、プッシュスイッチ１０６は、その構造上、押し込み不足が生じると作動が著しく不安定となり、ブレード１０１が完全にシェルフに差し込まれているにも関わらずイジェクタレバー１０３の操作が不十分な状況下では、プッシュスイッチ１０６の動作不良でブレード１０１に電源が投入されなくなるといった可能性が高い。
【００１１】
また、イジェクタレバー１０３の舌片１０５がプッシュスイッチ１０６の可動部で定常的に押圧されるので、ブレード１０１に反りが生じる可能性も高く、この反りが許容限度を超えると、イジェクタレバー１０３をブレード１０１のリアパネル１０２に適切に密着させて限界位置まで操作しても、舌片１０５がプッシュスイッチ１０６を押圧できなくなるといった可能性がある。
【００１２】
光センサを利用して電力供給のオン・オフ制御を行うものとしては、特許文献２に開示されるような自動電源開閉装置が公知である。このものは、ＣｄＳセルやフォトダイオード等を利用して光の有無すなわち昼夜の別を感知して常用交流の開閉操作を行うことによって待機時の消費電力の無駄を省くようにしたものであるが、イジェクタレーバー等を始めとする機械的な構造との組み合わせが困難であり、手動で抜き差しされるサブ基板やブレードのホットスワップ機能の実現のために容易に転用できるものではない。また、特許文献２の自動電源開閉装置においては、常用交流の開閉操作が不安定となるのを防止するためにトランジスタやバイブレータ等からなる遅延回路を利用しているため、電気回路が複雑化するといった弊害もある。
【００１３】
更に、受光素子と発光素子を利用して主電源のオン・オフを含む回路制御を実現したものとして、特許文献３の電子装置が知られている。しかし、このものは受光素子と発光素子との間の相対的な角度（姿勢）あるいは位置（離間距離）を変化させることで光の伝播を遮断して回路制御を行うもので、装置の可動部それ自体に受光素子と発光素子のうちの少なくとも一方を実装する必要があり、イジェクタレーバー等のように小型のパーツに実装するには適さない。
【００１４】
【特許文献１】特開２００２−２６５４７号公報（図２）
【特許文献２】特開２０００−１８８８３０号公報
【特許文献３】特開２００３−１７７８４５号公報（図６，図７）
【発明の開示】
【発明が解決しようとする課題】
【００１５】
そこで、本発明の課題は、複雑な電気回路を必要とせず、イジェクタレバーの加工精度やイジェクタレバーの取り付けに関わる位置精度さらにはイジェクタレバーの操作自体が必ずしも十分でなくても、イジェクタレバーの操作に応動させてシェルフからブレードへの電力供給を的確にオン・オフ制御することのできるブレード用電源操作装置と其の電源操作プログラムおよび電源操作方法を提供することにある。
【課題を解決するための手段】
【００１６】
本発明のブレード用電源操作装置は、ブレードに設けられた揺動式のイジェクタレバーの操作に連動させて電源制御部を作動させることでシェルフからブレードへの電力供給をオン・オフ制御するようにしたブレード用電源操作装置であり、前記課題を達成するため、特に、
前記ブレードを前記シェルフに取り付けた状態で前記ブレードの内部に突入する舌片を前記イジェクタレバーと一体に設け、前記ブレードの内部には、前記舌片の突入を該舌片の側方から検知する光センサを設けると共に、
前記電源制御部には、前記シェルフからブレードへの電力供給をオン・オフ制御するためのマイクロプロセッサと、前記シェルフからブレードへの電力供給のオン・オフ状態を記憶するメモリとを配備し、
前記光センサからの舌片検知信号が検出されているか否かを前記マイクロプロセッサによって判定し、舌片検知信号が検出されている場合には、前記マイクロプロセッサが、前記メモリに電力供給のオフ状態が記憶されているか否かを判定し、電力供給のオフ状態が記憶されている場合に限って前記シェルフからブレードへの電力供給を開始して前記メモリに電力供給がオン状態となったことを記憶する一方、前記光センサからの舌片検知信号が検出されていない場合には、前記マイクロプロセッサが、前記メモリに電力供給のオフ状態が記憶されているか否かを判定し、電力供給のオフ状態が記憶されていない場合に限って前記シェルフからブレードへの電力供給を停止して前記メモリに電力供給がオフ状態となったことを記憶するようにしたことを特徴とする構成を有する。
本発明の電源操作プログラムは、ブレードをシェルフに取り付けた状態でブレードの内部に突入する舌片を一体に設けた揺動式のイジェクタレバーと、前記ブレードの内部に設けられて前記舌片の突入を該舌片の側方から検知する光センサとを備え、前記光センサからの舌片検知信号によって電源制御部を作動させてシェルフからブレードへの電力供給をオン・オフ制御するようにしたブレード用電源操作装置のための電源操作プログラムであり、前記と同様の目的を達成するため、
前記電源制御部に配備されたマイクロプロセッサを、
前記光センサからの舌片検知信号の入力の有無を検知するための手段、
前記マイクロプロセッサのメモリに電力供給のオフ状態が記憶されているか否かを判定するための手段、
前記舌片検知信号の入力の有無を検知するための手段により舌片検知信号が検出され且つ前記メモリに電力供給のオフ状態が記憶されている場合に限って前記シェルフからブレードへの電力供給を開始して前記メモリに電力供給がオン状態となったことを記憶させる手段、および、
前記舌片検知信号の入力の有無を検知するための手段により舌片検知信号が検出されておらず且つ前記メモリに電力供給のオフ状態が記憶されていない場合に限って前記シェルフからブレードへの電力供給を停止して前記メモリに電力供給がオフ状態となったことを記憶させる手段として機能させることを特徴とする構成を有する。
本発明の電源操作方法は、ブレードをシェルフに取り付けた状態でブレードの内部に突入する舌片を一体に設けた揺動式のイジェクタレバーと、前記ブレードの内部に設けられて前記舌片の突入を該舌片の側方から検知する光センサとを備え、前記光センサからの舌片検知信号によって電源制御部を作動させてシェルフからブレードへの電力供給をオン・オフ制御するようにしたブレード用電源操作装置のための電源操作方法であり、前記と同様の目的を達成するため、
ブレード用電源操作装置が、前記光センサからの舌片検知信号が検出されているか否かを判定し、舌片検知信号が検出されている場合には、ブレード用電源操作装置が、該ブレード用電源操作装置のメモリに電力供給のオフ状態が記憶されているか否かを判定し、電力供給のオフ状態が記憶されている場合に限って前記シェルフからブレードへの電力供給を開始して前記メモリに電力供給がオン状態となったことを記憶させる一方、前記光センサからの舌片検知信号が検出されていない場合には、前記ブレード用電源操作装置が、前記メモリに電力供給のオフ状態が記憶されているか否かを判定し、電力供給のオフ状態が記憶されていない場合に限って前記シェルフからブレードへの電力供給を停止して前記メモリに電力供給がオフ状態となったことを記憶させることを特徴とする構成を有する。
【発明の効果】
【００１７】
本発明のブレード用電源操作装置と其の電源操作プログラムおよび電源操作方法は、イジェクタレバーと一体に設けられた舌片がブレードの内部に突入しているか否かを光センサによって検知し、光センサが舌片を検知している場合に限って電源制御部を作動させてシェルフからブレードへ電力を供給するようにしているので、トグルスイッチやプッシュスイッチのような機械的な動作をするスイッチは必要なく、また、スイッチをイジェクタレバーに応動させるための機械的なリンケージも不要となるので、イジェクタレバーの加工精度やイジェクタレバーの取り付けに関わる位置精度さらにはイジェクタレバーの操作自体が必ずしも十分でなくても、イジェクタレバーの操作に応動させてシェルフからブレードへの電力供給を的確にオン・オフ制御することができる。
【００１８】
しかも、光センサは舌片の突入を舌片の側方から検知する向きで配置されているので、舌片の長さに比例したストロークの範囲で舌片の突入状態を検知することができ、遅延回路のような複雑な回路を設けなくても、イジェクタレバーの加工精度やイジェクタレバーの取り付けに関わる位置精度のばらつき更にはイジェクタレバーの操作不良等に対処して、シェルフからブレードへの電力供給を安定的に維持することができる。
【発明を実施するための最良の形態】
【００１９】
次に、本発明を実施するための最良の形態について図面を参照して具体的に説明する。
【００２０】
図１は本発明を適用した一実施形態のブレード用電源操作装置１について簡略化して示した機能ブロック図である。
【００２１】
ブレード用電源操作装置１の主要部は、図１に示されるように、ＡＴＣＡ（Advanced Telecom Computing Architecture）の規格に準拠したブレード（カード）２に設けられた揺動式のイジェクタレバー３と、発光部４ａおよび受光部４ｂによって構成される光センサ４と、光センサ４からの舌片検知信号を受けて図示しないシェルフ（外枠）からブレード２への電力供給を許容する電源制御部５によって構成される。
【００２２】
図２は、シェルフにブレード２を取り付けた状態でブレード２の内部に突入するように構成された舌片６をイジェクタレバー３と一体に設け、ブレード２の内部に、舌片６を表裏から挟むようにして発光部４ａおよび受光部４ｂからなる透過型の光センサ４を配置した場合のブレード用電源操作装置１の構成例について簡略化して示した図である。
【００２３】
図２に示される光センサ４はダークオンタイプのもので、発光部４ａからの光が舌片６で遮られて受光部４ｂに届かなくなった状態で、受光部４ｂから舌片検知信号が出力されるようになっている。
【００２４】
この光センサ４は、ブレード２内への舌片６の突入を舌片６の側方、つまり、舌片６の移動方向（図２中で左右方向）と略直交する向き（図２中で上下方向）から検知するセンサである。
【００２５】
光センサ４や電源制御部５に電力の供給が開始されるのはブレード２側の端子の先端部とシェルフ側の端子の先端部との接触が開始された時点であり、電源制御部５は、光センサ４が作動を開始し且つ光センサ４からの舌片検知信号を検知した時点で、ブレード２に実装されている各種の電子部品・電気部品への電力の供給を許容する。
【００２６】
ＡＴＣＡ（Advanced Telecom Computing Architecture）の規格に準拠して製作されたシェルフからのブレード２の抜き差しに係るイジェクタレバー３自体の機能に関しては、図６に示した公知のブレード用電源操作装置におけるイジェクタレバー１０３の場合と同様である。
【００２７】
つまり、ブレード２を図示しないシェルフに取り付けて完全に差し込んだ状態では、図２に示されるように、イジェクタレバー３と一体の押圧片１０７がシェルフ側の枠部２０１に当接し、イジェクタレバー３がブレード２のリアパネル１０２に密着している。
【００２８】
そして、ブレード２をシェルフから取り外す際には、図２中で上側に位置するイジェクタレバー３をヒンジ１０４を支点として時計方向に揺動させると共に図２中で下側に位置するイジェクタレバー３をヒンジ１０４を支点として反時計方向に揺動させることで、イジェクタレバー３を梃子の力点、また、ヒンジ１０４を梃子の支点、更に、押圧片１０７を梃子の作用点として機能させ、押圧片１０７でシェルフ側の枠部２０１を押すようにしてブレード２を図２中の左方向に移動させて、図示しないシェルフからブレード２を取り外す。
【００２９】
また、ブレード２をシェルフに取り付ける際には、図２中の左側から右側に向けてブレード２を移動させる。この際、押圧片１０７がシェルフ側の枠部２０１に当接するので、前記とは逆に、図２中で上側に位置するイジェクタレバー３が自動的に反時計方向に揺動し、また、図２中で下側に位置するイジェクタレバー３は自動的に時計方向に揺動して、図２に示されるような状態に戻る。
【００３０】
イジェクタレバー３の舌片６は、ブレード２が図示しないシェルフに概ね差し込まれた状態、つまり、図２中で下側に位置するイジェクタレバー３がブレード２のリアパネル１０２に近接し、舌片６がブレード２の内部に突入して透過型の光センサ４の位置に到達した時点、つまり、舌片６の少なくとも最先端部が発光部４ａと受光部４ｂとの間に突入して、発光部４ａの光が舌片６の最先端部で遮られた時点で、受光部４ｂから舌片検知信号が出力され、この舌片検知信号を受けた図１中の電源制御部５が、図示しないシェルフからブレード２への電力の供給を開始させる。
【００３１】
この実施形態においては、図２中で下側に位置するイジェクタレバー３に設けられた舌片６の長さが、シェルフに対するブレード２の取り付けが完了するイジェクタレバー３の揺動位置よりも僅かに手前のイジェクタレバー３の揺動位置で光センサ４を作動させるように、言い換えれば、イジェクタレバー３とリアパネル１０２との間に若干の間隙を残した状態で光センサ４を作動させるように調整されているので、シェルフに対するブレード２の取り付けが完了した段階では、既にシェルフからブレード２への電力の供給が開始されていることになる。
【００３２】
シェルフに対するブレード２の取り付けが完了した段階では、イジェクタレバー３が更に前述の間隙相当分だけ揺動してリアパネル１０２に完全に密着し、舌片６はブレード２の内部に向けて更に移動することになるが、発光部４ａの光が舌片６で遮られた状態は其のまま維持されるので、受光部４ｂからは舌片検知信号が継続して出力され、電源制御部５の作動状態が保証され、シェルフからブレード２への電力供給も確実に保持される。
【００３３】
また、仮にイジェクタレバー３の押し込み操作が不完全であったとしても、少なくとも舌片６の最先端部が発光部４ａと受光部４ｂとの間に突入して発光部４ａの光を遮ることになるので、イジェクタレバー３の操作不良による電力供給の異常を未然に回避することができる。
【００３４】
既に述べた通り、ブレード２の取り外しに際しては、図２中で下側に位置するイジェクタレバー３をヒンジ１０４を支点として反時計方向に揺動させることにより、イジェクタレバー３を梃子の力点、また、ヒンジ１０４を梃子の支点、更に、押圧片１０７を梃子の作用点として機能させ、押圧片１０７でシェルフ側の枠部２０１を押すようにしてブレード２を図２中の左方向に移動させることになるが、この際、イジェクタレバー３の剛性不足やイジェクタレバー３の加工誤差あるいはイジェクタレバー３の取り付けに関わる位置精度の異常やガタツキもしくはイジェクタレバー３の反り等によって、イジェクタレバー３の揺動操作に対してブレード２の実際の移動に若干の遅れが生じるといった可能性がある。
【００３５】
しかし、仮にブレード２が其の引き抜き方向つまり図２中で右から左に向かう方向に移動を開始する前に、下側に位置するイジェクタレバー３が反時計方向に多少揺動してしまったとしても、舌片６の全長に冗長性があるため、その最先端部が発光部４ａと受光部４ｂとの間から直ちに離脱することはなく、舌片６の最先端部が発光部４ａの光を遮り続けるので、イジェクタレバー３の剛性不足やイジェクタレバー３の加工誤差あるいはイジェクタレバー３の取り付けに関わる位置精度の異常やガタツキ等のために、シェルフに装填されたままのブレード２への電力供給が異常終了するといった不都合を未然に防止することができる。
【００３６】
このようにして舌片６の全長に冗長性を持たせ、舌片６の長さに比例したストロークの範囲で舌片６の突入状態を光センサ４に検知させ、光センサ４からの出力がオンとなる区間に余裕を持たせることにより、遅延回路等の複雑な電気回路を併設しなくても、ブレード２への電力供給のオン・オフ制御を安定的に実施することができるようになる。
【００３７】
ブレード２に対する電力供給のオン・オフ制御の適切なタイミングは、ブレード２と図示しないシェルフとを電気的に接続する端子の構造、特に、端子の長さ等によって異なるが、必要とされるオン・オフ制御のタイミングに応じて舌片６の設計上の長さを決定することにより、実際の端子構造に適したオン・オフ制御のタイミングを的確に実現することが可能である。
【００３８】
図３は、イジェクタレバー３と光センサ４の組をブレード２の両端部に各１組ずつ、合わせて２箇所に亘って配備した場合のブレード用電源操作装置１の構成例について簡略化して示した図である。
【００３９】
図３に示される光センサ４は前記と同様にダークオンタイプのもので、発光部４ａからの光が舌片６で遮られて受光部４ｂに届かなくなった状態で、受光部４ｂから舌片検知信号が出力されるようになっている。
【００４０】
この光センサ４も、ブレード２内への舌片６の突入を舌片６の側方、つまり、舌片６の移動方向（図３中で左右方向）と略直交する向き（図３中で上下方向）から検知するセンサである。
【００４１】
図３のブレード用電源操作装置１では、図中上側に位置するイジェクタレバー３に設けられた舌片６の突入を検知するための光センサ４と図中下側に位置するイジェクタレバー３に設けられた舌片６の突入を検知するための光センサ４がイジェクタレバー３毎に独立して配置されると共に、各光センサ４，４における受光部４ｂ，４ｂからの出力がＯＲ回路７の入力側に接続され、ＯＲ回路７の出力が前述の電源制御部５に導かれるようになっている。
【００４２】
このような構成を適用した場合では、ＯＲゲート７からの出力は、少なくとも光センサ４，４の何れか一方から舌片検知信号が出力された際にオンとなる。
【００４３】
従って、何れか一方のイジェクタレバー３の押し付け操作に不備があった状態で図示しないシェルフにブレード２が装填されてしまった場合であっても、他方のイジェクタレバー３に対応して設けられた光センサ４の受光部４ｂから出力される舌片検知信号によってＯＲ回路７の出力をオンとすることができ、ブレード２の装填時における電源の投入制御を安定させることが可能となる。
【００４４】
また、オン状態からオフ状態への電源の切り替えに際しては、同時に２つのイジェクタレバー３の開放操作を必要とすることから、装置の運用中の誤操作による不用意な電源のオフを効果的に防止できる。
【００４５】
以上、透過型の光センサ４によって舌片６の突入を検知する場合の構成について述べたが、透過型の光センサに代えて反射型の光センサを利用するようにしてもよい。反射型の光センサを利用する場合は、舌片６の一側（同一面側）に対向させるかたちで発光部４ａと受光部４ｂを並列して配置し、発光部４ａからの光が舌片６の一側で反射されて受光部４ｂで受光された際に受光部４ｂから舌片検知信号を出力させるように構成するが、他の点に関しては前述した実施形態と同様であるので、詳細な説明は省略する。
【００４６】
また、前述の実施形態ではダークオンタイプの光センサ４を使用しているが、光センサの構成自体はダークオフであっても構わない。その場合は、受光部４ｂからのオフ信号を舌片検知信号として認識するようにするか、もしくは、受光部４ｂからの信号をインバータ等で反転するようにすればよく、実質的な作用効果は上記と全く同等である。
【００４７】
次に、ＯＲ回路７に替えて電源制御部５のマイクロプロセッサによって電力供給のオン・オフ制御を行う場合の処理について簡単に説明する。
【００４８】
図４はマイクロプロセッサを有する電源制御部５の構成を簡略化して示したブロック図である。電源制御部５は、図示しないシェルフからブレード１０１への電力供給をオン・オフ制御するためのマイクロプロセッサ８と、マイクロプロセッサ８の制御プログラムを格納したＲＯＭ９、および、一時記憶用のメモリとして機能するＲＡＭ１０を備え、マイクロプロセッサ８の入出力回路１１には、例えば、図３に示されるようにしてブレード２に配置された２つの光センサ４，４からの信号線が接続され、電源のオンオフの切り替えに使用されるリレー１２は、入出力回路１１を介してマイクロプロセッサ８によって駆動制御されるようになっている。
【００４９】
図５はＲＯＭ９の制御プログラムに従って作動するマイクロプロセッサ８の処理動作について示したフローチャートである。
【００５０】
マイクロプロセッサ８は、ブレード２側の端子の先端部とシェルフ側の端子の先端部との接触が開始された時点で作動を開始し、まず、ＲＡＭ９内の電源投入状態確認フラグＦの値をリセットする初期化処理を実行する（ステップＳ１）。
【００５１】
次いで、マイクロプロセッサ８は、図３に示される上側のイジェクタレバー３に対応して設けられた光センサ４から舌片検知信号が入力されているか否かを判定し（ステップＳ２）、舌片検知信号が入力されていなければ、更に、図３に示される下側のイジェクタレバー３に対応して設けられた光センサ４からの舌片検知信号が入力されているか否かを判定する（ステップＳ３）。
【００５２】
ステップＳ２，ステップＳ３の判定結果が共に偽となった場合には、ブレード２の２つのイジェクタレバー３，３が共に開放位置にあること、つまり、ブレード２が図示しないシェルフに完全には装填されていないことを意味するので、マイクロプロセッサ８は、更に、電源投入状態確認フラグＦがセットされているか否か、つまり、シェルフにブレード２が装填されつつあるのか（Ｆ＝０の場合）、あるいは、シェルフからブレード２が取り外されつつあるのか（Ｆ＝１の場合）を判定する（ステップＳ４）。
【００５３】
ステップＳ４の判定結果か真となって電源投入状態確認フラグＦがセットされていないことが明らかとなった場合には、シェルフにブレード２が装填されつつあることを意味するので、マイクロプロセッサ８は、ステップＳ２〜ステップＳ４の判定処理のみを繰り返し実行し、図３に示される上側のイジェクタレバー３に対応して設けられた光センサ４もしくは図３に示される下側のイジェクタレバー３に対応して設けられた光センサ４の少なくとも何れか一方から舌片検知信号が入力されるのを待機する。
【００５４】
ステップＳ２〜ステップＳ４の判定処理を繰り返し実行する間にステップＳ２もしくはステップＳ３の判定結果が真となった場合には、図３に示される上側のイジェクタレバー３に対応して設けられた光センサ４もしくは図３に示される下側のイジェクタレバー３に対応して設けられた光センサ４の少なくとも何れか一方から舌片検知信号が入力されていること、即ち、少なくとも一方のイジェクタレバー３がブレード２の装填完了時の閉鎖位置の直近まで揺動されてブレード２が図示しないシェルフに完全に差し込まれた状態となったことを意味するので、マイクロプロセッサ８は、更に、この時点で既に電源投入状態確認フラグＦがセットされているか否、要するに、改めて電源投入のための処理を行なう必要があるか否かを判定する（ステップＳ５）。
【００５５】
ステップＳ５の判定結果か真となって電源投入状態確認フラグＦがセットされていないことが明らかとなった場合には、これまでシェルフに装填されていなかったブレード２が改めてシェルフに装填されたことを意味するので、マイクロプロセッサ８は、入出力回路１１を介してリレー１２を作動させ、図示しないシェルフからブレード２への電力の供給を開始させると共に（ステップＳ６）、電源投入状態確認フラグＦをセットすることによって、シェルフからブレード２への電力の供給が開始されたことを記憶する（ステップＳ７）。
【００５６】
以下、図３に示される上側のイジェクタレバー３に対応して設けられた光センサ４もしくは図３に示される下側のイジェクタレバー３に対応して設けられた光センサ４の少なくとも何れか一方からの舌片検知信号が入力され続ける限り、マイクロプロセッサ８は、ステップＳ２およびステップＳ５からなる判定処理のループ（上側と下側の光センサ４，４から舌片検知信号が入力され続けるか上側の光センサ４のみから舌片検知信号が入力され続ける場合）、もしくは、ステップＳ２，ステップＳ３およびステップＳ５からなる判定処理のループ（下側の光センサ４のみから舌片検知信号が入力され続ける場合）を繰り返し実行し、ブレード２への電力供給状態を保持する。
【００５７】
ステップＳ２およびステップＳ５からなる判定処理のループ、もしくは、ステップＳ２，ステップＳ３およびステップＳ５からなる判定処理のループがマイクロプロセッサ８によって繰り返し実行される間に、ステップＳ２，ステップＳ３の判定結果が共に偽となった場合には、ブレード２の２つのイジェクタレバー３，３が共に開放位置にあること、つまり、ブレード２が図示しないシェルフからの取り外し過程にあることを意味する。
【００５８】
従って、マイクロプロセッサ８は、電源投入状態確認フラグＦが当該時点でセット状態にあるか否か、つまり、電力の供給を停止するための処理を改めて行なう必要があるか否かを判定するが（ステップＳ４）、この段階では電源投入状態確認フラグＦが既にセットされているので、ステップＳ４の判定結果は偽となる。
【００５９】
この状況は、これまで図示しないシェルフに装填されていたブレード２がシェルフから取り外され、この時点で初めてブレード２への電力供給が不要となったことを意味するものであるから、マイクロプロセッサ８は、入出力回路１１を介してリレー１２を非作動の状態に切り替え、図示しないシェルフからブレード２への電力の供給を停止させた後（ステップＳ８）、電源投入状態確認フラグＦをリセットしてシェルフからブレード２への電力の供給が終了したことを記憶する（ステップＳ１）。
【００６０】
マイクロプロセッサ８は、ステップＳ２〜ステップＳ４の判定処理のみを繰り返し実行しながらブレード２側の端子の先端部とシェルフ側の端子の先端部との接触が完全に解除されるまで待機し、ブレード２側の端子の先端部とシェルフ側の端子の先端部との接触が完全に解除された時点、つまり、マイクロプロセッサ８への電力供給が断たれた時点で作動を停止する。
【００６１】
作用および効果の点に関しては、光センサ４，４からの出力をＯＲ回路７を介して電源制御部５に導いた場合と同様であり、特に、何れか一方のイジェクタレバー３に押し込み不良があっても確実に電力の供給が開始される点、および、オン状態からオフ状態への電源の切り替えに際して同時に２つのイジェクタレバー３の開放操作を必要とすることから、装置の運用中の誤操作による不用意な電源のオフを効果的に防止できるといった点が特徴である。
【００６２】
イジェクタレバー３と一体に設けられた舌片６がブレード２の内部に突入しているか否かを光センサ４によって検知し、光センサ４が舌片を検知している場合に限って電源制御部５を作動させてシェルフからブレード２への電力の供給を許容する点は何れの実施形態でも同様であり、何れの構成においても、トグルスイッチやプッシュスイッチのような機械的な動作をするスイッチは必要なく、また、スイッチをイジェクタレバー３に応動させるための機械的なリンケージも不要であるので、イジェクタレバー３の加工精度やイジェクタレバー３の取り付けに関わる位置精度さらにはイジェクタレバー３の操作自体が必ずしも十分でなくても、シェルフからブレード２への電力供給を的確にオン・オフ制御することができる。
【００６３】
しかも、光センサ４を構成する発光部４ａと受光部４ｂは舌片６の突入を舌片６の側方、つまり、舌片６の移動方向と交差する方向から検知するように配置されているので、舌片６の長さに比例したストロークの範囲で舌片６の突入状態を冗長的に検知することができ、遅延回路のような複雑な回路を設けなくても、イジェクタレバー３の加工精度やイジェクタレバー３の取り付けに関わる位置精度のばらつき更にはイジェクタレバー３の操作不良等に対処して、シェルフからブレード２への電力供給、特に、ブレード２の着脱時における過渡的な状況下における電力供給を安定的に維持することができる。また、装置の運用中に振動などの外乱を受けても意図しない電源オフを防止して安定した稼動が見込める。
【産業上の利用可能性】
【００６４】
本発明は、ＡＴＣＡ（Advanced Telecom Computing Architecture）の規格に準拠したシェルフとブレードとの組み合わせに限らず、いわゆるメイン基板とサブ基板との関係、すなわち、入れ子状に装着される各種の基板と其の筐体との電気的な接続関係において適宜に転用することが可能である。
【図面の簡単な説明】
【００６５】
【図１】本発明を適用した一実施形態のブレード用電源操作装置について簡略化して示した機能ブロック図である。
【図２】ブレードの内部に舌片を表裏から挟むようにして透過型の光センサを配置した場合の構成例について簡略化して示した図である。
【図３】イジェクタレバーと光センサの組をブレードの２箇所に配備した場合の構成例について簡略化して示した図である。
【図４】マイクロプロセッサを有する電源制御部の構成を簡略化して示したブロック図である。
【図５】電源制御部のマイクロプロセッサにおける処理動作について示したフローチャートである。
【図６】公知のブレード用電源操作装置の構成について簡略化して示した作用原理図である。
【符号の説明】
【００６６】
１  ブレード用電源操作装置
２  ブレード
３  イジェクタレバー
４  光センサ
４ａ  発光部
４ｂ  受光部
５  電源制御部
６  舌片
７  ＯＲ回路
８  マイクロプロセッサ
９  ＲＯＭ
１０  ＲＡＭ
１１  入出力回路
１２  リレー
１０１  ブレード
１０２  リアパネル
１０３  イジェクタレバー
１０４  ヒンジ
１０５  舌片
１０６  プッシュスイッチ
１０７  押圧片
２０１  シェルフ側の枠部
【図１】
0005146875.tif 000002
【図２】
0005146875.tif 000003
【図３】
0005146875.tif 000004
【図４】
0005146875.tif 000005
【図５】
0005146875.tif 000006
【図６】
0005146875.tif 000007